(57)【要約】【課題】上下２段縦積み熱交換機の前後左右のズレを防止する。【解決手段】左右側面および背面に吸込口２，３，４を設け、上面に排気ファンを備える吹出口５を設け、内部には、各吸込口２，３，４に対向するよう平面多角形に形成された上熱交換器６と下熱交換器７を上下２段縦積みで室外機底板上に設置し、且つ上熱交換機６および下熱交換機７をその両端に設けられた側板８，９によって室外機底板に対して固定した室外機において、上熱交換器６および下熱交換器７の前記背面の吸込口に対応する領域に、伝熱管を挿通した補助板１０，１１をそれぞれ配置し、該両補助板１０，１１を連結板１２によって互いに連結した。【選択図】図４
2009085441.tif 000002
【特許請求の範囲】
【請求項１】
左右側面および背面に吸込口を設け、上面に排気ファンを備える吹出口を設け、内部には、前記各吸込口に対向するよう平面多角形に形成された上熱交換器と下熱交換器を上下２段縦積みで室外機底板上に設置し、且つ前記上熱交換機および前記下熱交換機をその両端に設けられた側板によって室外機底板に対して固定した空気調和機の室外機において、
前記上熱交換器および前記下熱交換器の前記いずれか１つ以上の吸込口に対応する領域に、伝熱管を挿通した補助板をそれぞれ配置し、該両補助板を互いに連結したことを特徴とする空気調和機の室外機。
【請求項２】
請求項１に記載の空気調和機の室外機において、
前記補助板は、前記上下２段縦積みの上熱交換機および下熱交換機の外側又は内側に突出する取付片を備え、該取付片が連結板によって連結されていることを特徴とする空気調和機の室外機。
【発明の詳細な説明】
【技術分野】
【０００１】
本発明は、分離型の空気調和機の室外機に係り、特に複数箇所で折れ曲がった平面多角形状の熱交換機を上下２段縦積みに取り付けた空気調和機の室外機に関するものである。
【背景技術】
【０００２】
従来、分離型空気調和機の室外機には、本体の室外機底板の上に、コンプレッサ、熱交換器、ファンモータ、制御回路ユニット等が配設されており、特に熱交換容量を大きくする場合は、複数箇所で折れ曲がった平面多角形状（例えば、コ字形状）の熱交換機を上下２段縦積みに取り付けることが行われている。
【０００３】
図６は従来例の熱交換機の配置を示す図（例えば、特許文献１参照）であり、上熱交換機２１と下熱交換機２２は、その端部に取り付けられた側板２３，２４を連結金具２５で結合することで一体化され、下側の側板２４が図示しない連結金具で室外機底板に固定されている。
【特許文献１】実開平４−７０９２５号公報
【発明の開示】
【発明が解決しようとする課題】
【０００４】
ところが、上記のような上下２段縦積みの熱交換器をビル用等の大型用として製造した場合、側板２３，２４の部分でのみ上熱交換器２１と下熱交換器２２を室外機底板に対して保持する構成では、搬送時や設置時に、両熱交換器２１，２２の側板２３，２４から離れた部分で左右あるいは前後のズレが発生し、破損の恐れがある。
【０００５】
本発明の目的は、搬送や移動の際でも上下２段縦積みの熱交換器にズレが発生しないようにした空気調和機の室外機を提供することである。
【課題を解決するための手段】
【０００６】
上記目的を達成するために、請求項１にかかる発明は、左右側面および背面に吸込口を設け、上面に排気ファンを備える吹出口を設け、内部には、前記各吸込口に対向するよう平面多角形に形成された上熱交換器と下熱交換器を上下２段縦積みで室外機底板上に設置し、且つ前記上熱交換機および前記下熱交換機をその両端に設けられた側板によって室外機底板に対して固定した室外機において、前記上熱交換器および前記下熱交換器の前記いずれか１つ以上の吸込口に対応する領域に、伝熱管を挿通した補助板をそれぞれ配置し、該両補助板を互いに連結したことを特徴とする。
請求項２にかかる発明は、請求項１に記載の室外機において、前記補助板は、前記上下２段縦積みの上熱交換機および下熱交換機の外側又は内側に突出する取付片を備え、該取付片が連結板によって連結されていることを特徴とする。
【発明の効果】
【０００７】
本発明によれば、上下２段縦積みの熱交換器の室外機吸込口に対応する領域部分が、上熱交換機の補助板と下熱交換機の補助板の連結によって保持されるので、搬送や移動の際でも、両熱交換器の側板から離れた部分で前後左右のズレが発生することが防止される。また、補助板は板金で形成することができ、簡単な構造であるので、大きなコスト増を招く恐れもない。
【発明を実施するための最良の形態】
【０００８】
図１は室外機の外観を示す斜視図、図２は一部切り欠けの同斜視図である。図１，２において、１は制御回路ユニットやコンプレッサ等が配置される正面、２は左側吸込口、３は右側吸込口、４は背面吸込口、５は排気ファンを備えた上面吹出口である。
【０００９】
左側吸込口２、右側吸込口３、および背面吸込口４の内側には、図３に示すように、上面略コ字形状の上熱交換器６と下熱交換機７が上下２段縦積みで配置されている。この両熱交換器６，７の左右の端部には、側板８，９がそれぞれ取り付けられ、この側板８，９は図６の符号２５で示したような連結板（図示省略）によって一体化されている。そして、下熱交換器７の側板９の下端が、室外機底板（図示省略）に別の連結板（図示省略）で固定されている。これにより、上熱交換器６と下熱交換機７は、その両端が、側板８，９によって室外機底板に対して固定された状態にある。
【００１０】
図３において、１０は本発明の実施例の上熱交換器６に設けた補助板である。この補助板１０は、上熱交換機６のフィン６ａと略同じ外形であるが、下端の内側に取付片１０ａが形成され、さらにフィン６ａの穴６ｂと同じ位置に穴１０ｂが形成されている。そして、この補助板１０をフィン６ａと並べて、穴１０ａ，６ａを合わせておき、そこに伝熱管６ｃを挿入してから拡管することにより、伝熱管６ｃに対して、フィン６ａと同じように、補助板１０が密着状態で取り付けられている。下熱交換機７に対しても、図４に示すように、全く同様に、補助板１１がフィン７ａと共に伝熱管７ｃに対して取り付けられている。この補助板１１の上端の内側には前記取付片１０ａと同様な取付片（図示省略）が形成されている。
【００１１】
そして、上熱交換機６の補助板１０の取付片１０ａと、下熱交換機７の補助板１１の取付片は、上下２段縦積みの上熱交換機６と下熱交換器７の内側において、連結板１２によって連結され（図２、図４）、これによって上熱交換器６と下熱交換器７が一体化されている。
【００１２】
したがって、上熱交換器６と下熱交換機７は、補助板１０，１１の取付部分である、室外機の背面吸込口４に対応する領域の略中央部分において、相互に保持され、前後左右へのズレが防止される。
【００１３】
なお、この補助板１０，１１の取付片は、上下縦積みの熱交換器６，７の内側ではなく、外側に位置するように設けて、その外側で連結板によって連結してもよく、あるいは内側と外側に設けて、内側と外側でそれぞれ別の連結板によって連結してもよい。また、補助板１０，１１の一方の取付片を他方の取付片に対して延長した形状にしておけば、両取付片を直接ビス等で結合することができ、連結板は不要となる。また、この補助板１０，１１は、上下縦積みの熱交換器６，７の１箇所に限られず、２箇所以上に取り付けて、上熱交換器６と下熱交換器７を互いに固定してもよい。さらに、この補助板１０，１１は、上熱交換器６と下熱交換器７における、室外機の背面吸込口４に対応する領域に限られず、背面吸込口４、左側吸込口２、右側吸込口３のいずれか１以上に対応する領域に取り付けてもよい。
【図面の簡単な説明】
【００１４】
【図１】室外機の斜視図である。
【図２】室外機の一部切り欠きの斜視図である。図である。
【図３】本発明の実施例の補助板の取付説明図である。
【図４】同実施例の補助板により保持した上下２段縦積み熱交換機の要部の斜視図である。
【図５】従来の熱交換機の保持の一部斜視図である。
【符号の説明】
【００１５】
１：正面、２：左側吸込口、３：右側吸込口、４：背面吸込口、５：上面吹出口、６：上熱交換機、６ａ：伝熱管、７：下熱交換機、８，９：側板、１０：補助板、１０ａ：取付片、１０ｂ：穴、１０ｃ：伝熱管、１１：補助板、１２：連結板
【図１】
2009085441.tif 000003
【図２】
2009085441.tif 000004
【図３】
2009085441.tif 000005
【図４】
2009085441.tif 000006
【図５】
2009085441.tif 000007